(57)【要約】  無線通信デバイスからの近隣測定値等の、パケットサーバのハンドオーバー情報を含むパケットネットワークに接続された無線通信ネットワークに関する方法で、移動無線通信デバイスのための無線資源移送に関して、基地局コントローラ等の無線通信ネットワークと交渉（４２０）して、パケットサーバから移動無線通信デバイスへ無線資源情報を送信する方法。
2007503763.tif 000002
【特許請求の範囲】
【請求項１】
パケットセッションに参加する工程と、
同パケットセッションの間に、パケットサーバにハンドオーバー情報を送信する工程と、
同パケットサーバへのハンドオーバー情報送信に応答して、同パケットサーバから無線資源情報を受信する工程と、
からなる移動通信デバイスにおける方法。
【請求項２】
前記パケットサーバから受信した無線資源情報を用いて新しいセルにハンドオーバーする請求項１に記載の方法。
【請求項３】
前記パケットサーバから受信した無線資源情報が無線資源割り当て情報を含み、
前記移動通信デバイスが、新しいセルからの無線資源割り当て要求をせずに新しいセルにハンドオーバーする請求項２に記載の方法。
【請求項４】
前記パケットサーバへのハンドオーバー情報送信に応答してパケットサーバから無線資源情報を受信する工程が、該パケットサーバから、周波数、スロット、移送時間および電力情報のうちの少なくとも１つを受信する工程を含む請求項１に記載の方法。
【請求項５】
前記パケットセッションの間に近隣の測定を行う工程と、
パケットサーバへのハンドオーバー情報送信が該近隣の測定値を基にした情報の送信する工程と、を含む請求項１に記載の方法。
【請求項６】
前記パケットサーバに少なくとも１つの識別されたハンドオーバー目標を送信する請求項１に記載の方法。
【請求項７】
パケットセッションに入ってパケットセッションで音声データを通信する工程と、
パケットセッションでの音声データ通信の間にパケットサーバにハンドオーバー情報を送信する工程と、を含む請求項１に記載の方法。
【請求項８】
パケットサーバが少なくとも１つの可能性のあるハンドオーバー目標を識別する工程と、
識別した少なくとも１つのハンドオーバー目標に関してパケットサーバからの無線資源情報を受信する工程と、を含む請求項７に記載の方法。
【請求項９】
パケットサーバから受信した無線資源情報を使用することによって、ハンドオーバーの間のパケットセッションの中断を減らして新しいセルへのハンドオーバーを容易にする請求項１に記載の方法。
【請求項１０】
移動無線通信デバイスのための無線資源の移送を無線通信ネットワークと交渉する工程と、
パケットサーバから移動無線通信デバイスに無線資源情報を送信する工程と、      からなる、通信ネットワークに接続されたパケットサーバにおける方法。
【請求項１１】
移動無線通信デバイスからのハンドオーバー情報をパケットサーバで受信する工程と、
ハンドオーバー情報の受信に応答して交渉した後に移動無線通信デバイスに無線資源情報を送信する工程と、を含む請求項１０に記載の方法。
【請求項１２】
移動無線通信デバイスから受信したハンドオーバー情報に基づいて、移動無線通信デバイスのための無線資源移行について無線通信ネットワークと交渉する工程、を含む請求項１
１に記載の方法。
【請求項１３】
移動無線通信デバイスからのハンドオーバー情報の受信が、移動無線通信デバイスによって識別された少なくとも１つの可能性のあるハンドオーバー目標の受信を含み、
移動無線通信デバイスよって識別された少なくとも１つのハンドオーバー目標について、移動無線通信デバイスへ無線資源情報を送信する工程を含む請求項１０に記載の方法。
【請求項１４】
パケットデータサーバからの無線資源情報の送信が、移動無線通信デバイスへ、周波数、スロット、移送時間および電力情報のうちの少なくとも１つを送信する工程を含む請求項１０に記載の方法。
【請求項１５】
パケットサーバから無線資源情報を受信する工程と、
パケットセッションの間に新しいセルにハンドオーバーする工程と、
パケットサーバから受信した無線資源情報を使用して、新しいセルへのハンドオーバーの際のパケットセッション中のデータ通信の中断を減らす工程と、からなるパケットセッション中の移動無線通信デバイスの方法。
【請求項１６】
パケットセッションで音声通信する請求項１５に記載の方法。
【請求項１７】
パケットデータサーバからの無線資源情報の受信がハンドオーバーのタイミング情報の受信を含み、
パケットデータサーバからのハンドオーバーのタイミング情報を使用して新しいセルへタイムリーに移送することによって、ハンドオーバーの際のパケットセッションの間でのデータ通信の中断を減らす請求項１５に記載の方法。
【発明の詳細な説明】
【技術分野】
【０００１】
本発明は概して無線通信に関し、特には、例えば、Ｇｅｎｅｒａｌ  Ｐａｃｋｅｔ  Ｒａｄｉｏ  Ｓｅｒｖｉｃｅ（ＧＰＲＳ）においてパケットデータの通信中のような、無線通信ネットワークにおけるパケットデータ期間中の、無線通信デバイスのハンドオーバーおよびその方法に関する。
【背景技術】
【０００２】
ＧＰＲＳプロトコルにおいて、移動局加入者の端末またはデバイスがデータ期間中に移動すると、加入者のデバイスは加入者のデバイスが行う再選択測定を基にサービスを受けるセルを再選択する。ハンドオーバーの前にネットワークによって無線資源が割り当てられる、ネットワーク制御されたハンドオーバーとは異なり、再選択は、新しいサービスセルを再選択した後に、加入者のデバイスがタイムスロット等の無線資源を要求する必要がある。この手順には、パケットデータの送信が中断される時間が必要である。データ送信の断絶は特に、例えば異なるネットワークへの移動や複数のＳｅｒｖｉｎｇ  ＧＰＲＳ  Ｓｕｐｐｏｒｔ  Ｎｏｄｅ（ＳＧＳＮ）を有する大きなネットワーク中の移動のように、移動端末が、あるＳＧＳＮから別のＳＧＳＮへ移動する場合は特に長くなる。例えば、Ｆｉｌｅ  Ｔｒａｎｓｐｏｒｔ  Ｐｒｏｔｏｃｏｌ（ＦＴＰ）部分のデータパケットのようなパケットデータでは、遅延や損失があると格納されて再送信されるが、例えば、実時間パケットデータのような他のデータは遅延や失われた場合の再生はできない。
【発明の開示】
【発明が解決しようとする課題】
【０００３】
パケットデータ送信の間のハンドオーバーに必要な時間を短縮することが望まれる。
【課題を解決するための手段】
【０００４】
当業者は下記の詳細な説明と添付図によって、本発明の種々の態様、特徴および利点を、理解できるであろう。
【発明を実施するための最良の形態】
【０００５】
図１の無線通信デバイス１１０、例えば移動セルラ加入者端末や他の無線通信は、パケットデータネットワークを含む無線通信セットワーク中で通信を行う。例示的な通信ネットワークは特に、無線通信サブシステム１２４と接続する、第１の基地局（Ｂ１）送受信器１２０と第２の基地局（Ｂ２）送受信器１２２を備える。１つ以上の基地局コントローラ、および他のネットワークインフラも備えるが当業者には周知なので図１中には示していない。
【０００６】
例示的なネットワークは、第２世代（２Ｇ）Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）ｒａｄｉｏ  ａｃｃｅｓｓ  ｎｅｔｗｏｒｋ、でも、第３世代（３Ｇ）Ｕｎｉｖｅｒｓａｌ  Ｍｏｂｉｌｅ  Ｔｅｌｅｐｈｏｎｅ  Ｓｙｓｔｅｍ（ＵＭＴＳ）データ交換ネットワークでも、２Ｇと３Ｇのネットワークの組み合わせでも、２．５Ｇネットワークのような他の通信ネットワークでもよい。
【０００７】
図１の例示的通信ネットワークは、例えば、Ｇｅｎｅｒａｌ  Ｐａｃｋｅｔ  Ｒａｄｉｏ  Ｓｅｒｖｉｃｅ（ＧＰＲＳ）のパケットネットワーク、ＧＰＲＳ／Ｅｎｈａｎｃｅｄ
Ｄａｔａ  ｆｏｒ  Ｇｌｏｂａｌ  Ｅｖｏｌｕｔｉｏｎ（ＥＤＧＥ）、または、通信ネットワークの部分と接続している他のパケットネットワーク等のパケットネットワークを
介してパケットサービスを提供する。図１において、パケットネットワークは、通信ネットワークと接続しているパケットサーバ１３０を備え、典型的には、図１に示されている無線通信サブシステムの１つ以上のＳｅｒｖｉｎｇ  ＧＰＲＳ  Ｓｕｐｐｏｒｔ  Ｎｏｄｅｓ（ＳＧＳＮ）やＧａｔｅｗａｙ  ＧＰＲＳ  Ｓｕｐｐｏｒｔ  Ｎｏｄｅ（ＧＧＳＮ）を介してパケットデータネットワークと通信する。ＳＧＳＮやＧＧＳＮは当業者に周知なので図１には示していない。図１において、例示的無線通信ネットワークとパケットネットワークとのインタフェイスを、概略的インタフェイス１４０で示している。
【０００８】
一実施例において、少なくとも１つの基地局を介して無線通信ネットワークと接続して、パケット通信に参加している無線通信デバイスは、移動端末が移動する時は近隣のセルからの信号を測定している。図１で例えば、無線通信デバイス１１０は、サービス基地局送受信器１２０によって通信ネットワークと接続して、パケット通信の間、基地局１２２からの信号を受信して測定する。
【０００９】
図２の例示的無線通信デバイス工程２００において、ブロック２１０で、無線通信デバイスは近隣の基地局の送受信器からの信号を受信して測定する。移動端末が行う測定は、他のサービスセルへのハンドオーバーが必要か、または、無線通信デバイスがどのセルに移動するかを判断するために特定の通信プロトコルによって要求された測定である。近隣信号の測定は一般に、無線通信デバイスがパケット送信している時に発生する。
【００１０】
一実施例において、図２のブロック２２０で示したように、パケット通信の間に、無線通信デバイスがパケットサーバにハンドオーバー情報を送信する。図３で例えば、無線通信デバイス３１０は、基地局３２０と、無線通信サブシステム３２４を介してパケットサーバ３３０にハンドオーバー情報を通信する。そのハンドオーバー情報は一般に無線通信デバイスによる、近隣のセル３２２のような近隣信号の測定に基づいている。一実施例では、無線通信デバイスによってパケットサーバに送信されるハンドオーバー情報は、加入者端末がハンドオーバーする今後可能性のある１つ以上のサービスセル、またはハンドオーバー目標を含む。
図４の例示的パケットサーバ工程４００において、ブロック４１０でパケットサーバは加入者端末からハンドオーバー情報を受信する。上述のように、ハンドオーバー情報は近隣セルの測定や可能性のあるハンドオフ目標の情報を含んでいる。
【００１１】
幾つかの実施例においてハンドオーバー情報は、移動通信デバイスに関する他の情報の中に、位置情報、例えば、衛星や地上の位置決め情報システムを基にした位置情報を含む。幾つかの実施例においてパケットサーバは、位置情報からタイミング情報を導出する。加入者端末はタイミング情報を使用して目標チャネルへのアクセス時間を短縮する。タイミング前進の導出はパケットサーバで行えるし、無線サブシステムや加入者デバイス中でも行える。
幾つかの実施例において、再選択測定情報は近隣のタイミング情報も含み、その情報はパケットや無線通信サブシステムによって使用されて、加入者端末に使用され、目標チャネルへのアクセス時間を短縮する。
一実施例において、加入者端末はハンドオーバー目標の決定を行い、例えば、再選択測定に基づき、１つ以上の可能性のあるハンドオーバー目標またはサービスセルを加入者端末が識別する。ハンドオーバー目標情報は、ハンドオーバー要求の形式でパケットサーバに送信され、それに基づいてパケットサーバは、無線通信デバイスの代わりに、例えばネットワーク基地局コントローラで通信ネットワークと交渉する。他の実施例においては、目標選択は無線通信ネットワークやパケットサーバと共存する。ハンドオーバー目標の決定は、無線通信デバイスが無線通信デバイスやパケットサーバに提供する、近隣の信号測定や他の情報に基づいている。使用される特定の通信プロトコルやハンドオーバー決定が行われる位置は、無線通信デバイスがネットワークやパケットサーバに提供される情報が何
かによってある方向を有する。
ハンドオーバーの決定がなされると、図４のブロック４２０で、パケットサーバは移動通信デバイスの無線資源移動のために通信ネットワークと交渉する。
例えば図５で、パケットサーバ５３０は、無線通信デバイスの無線資源のために、無線通信サブシステム５２４と交渉する。無線資源割り当て交渉は、無線通信デバイス５１０が新しいサービスセルへハンドオフする前で、移動通信デバイスがパケットセッションにいる間に行われる。
一実施例において、無線資源移動交渉は、移動デバイスによって行われる典型的な再選択の間に、無線通信デバイスによって普通に行われる再選択機能も含む。交渉の主題は、無線通信デバイスによって行われる場合は、データセッションの間にデータ通信を中断するあらゆる要求交渉を含む。独占的ではなく限定的でもないが特定の交渉例は：移動デバイス通信のネットワークや将来のサービスセルの識別；周波数やスロット割り当ての交渉；通信時間；電力情報、等である。
【００１２】
パケットサーバと通信ネットワークとの交渉終了の後、図４のブロック４３０で、通信ネットワークはパケットサーバへ無線資源移送情報を提供する。図６で、交渉後、無線通信サブシステム６２４のような通信ネットワークが、パケットサーバ６３０に無線資源移送情報を提供する。
【００１３】
図４のブロック４４０で、ネットワークとの交渉後、パケットサーバは無線通信デバイスへ無線資源を送信または通信する。図７で、例えば、パケットサーバ７３０は、無線通信システム７２４と基地局送受信器７２０を介して、無線通信デバイス７２４へ無線資源移送情報を送信する。図２のブロック２３０で、無線通信デバイスはパケットサーバから無線資源移動情報を受信する。
【００１４】
図２のブロック２４０で、無線通信デバイスは、パケットサーバから受信した無線資源情報を用いて、新しいサービス基地局の送受信器にハンドオーバーする。図８で、無線通信デバイス８１０は新しいサービスセル８２２にハンドオーバーする。パケットサーバによって無線通信デバイスに提供された無線資源情報を使用することによって、新しいセルにハンドオーバーする間のパケットセッション中のデータ通信の中断を減らす。例えば、加入者端末がパケットサーバから受信してタイミング、周波数と時間スロット割り当て、移送時間、及び他の情報を使用すると、新しいサービスセルへハンドオーバーする時間を短縮できる。
【００１５】
一実施例において、パケットサーバが無線通信デバイスのための無線資源を交渉できない場合、無線通信デバイスは自主的に再選択できる。例えば、無線通信デバイスがパケットサーバにハンドオーバー情報を送信した後の特定時間内に無線通信デバイスに無線資源情報を送信しなかった場合、無線通信デバイスは自主的に再選択できる。
【００１６】
ある応用において、パケットサーバによる無線資源移送の交渉がハンドオーバーの際のデータ損失を減らす。例えば、異なる通信ネットワークや大きな通信ネットワークの異なるＳＧＳＮ間のハンドオーバーの際に、継ぎ目なしのハンドオーバーを提供する。
【００１７】
移動通信ネットワークのためのグローバルシステム（ＧＳＭ）においてＧＰＲＳでのＶｏｉｃｅ  ｏｖｅｒ  Ｉｎｔｅｒｎｅｔ  Ｐｒｏｔｏｃｏｌ（ＶｏＩＰ）を用いた、移動加入者デバイスのｐｕｓｈ−ｔｏ−ｔａｌｋ（ＰＴＴ）サービスを含む音声直接接続サービスの展開を提案してきた。このような提案は、音声が通常通信される回路接続ではなくて、データセッション中にパケットデータによる音声通信を必要とする。ＰＴＴパケットサーバによる無線資源の交渉は、音声がパケット接続によって通信される通信構成においてハンドオーバー中に音声データの損失を減らすのに役立つ。
【００１８】
本説明は、本発明の最良モードと考えられるものを、本発明を実施や使用する当業者と発明者が共有できる方法で論じた。本発明の精神や範囲を逸脱せずに、ここに開示した実施例と等価のものや、改良、改変が多くある。本発明は実施例によっては限定されず、添付の請求項によって限定される。
【図面の簡単な説明】
【００１９】
【図１】無線通信ネットワークにおけるパケットセッション中の無線通信デバイス。
【図２】移動端末の工程ダイヤグラム例。
【図３】パケットセッション中にパケットサーバへ情報を送信する無線通信デバイス。
【図４】パケットサーバの工程ダイヤグラム例。
【図５】無線通信デバイスがパケットセッションにある時に、ネットワークと交渉するパケットサーバ。
【図６】通信ネットワークから無線資源移送情報を受信するパケットサーバ。
【図７】無線通信デバイスに無線資源移送情報を送信するパケットサーバ。
【図８】無線通信ネットワークにおけるパケットセッション中の無線通信デバイス。
【図１】
2007503763.tif 000003
【図２】
2007503763.tif 000004
【図３】
2007503763.tif 000005
【図４】
2007503763.tif 000006
【図５】
2007503763.tif 000007
【図６】
2007503763.tif 000008
【図７】
2007503763.tif 000009
【図８】
2007503763.tif 000010
【国際調査報告】
2007503763.tif 000011
2007503763.tif 000012